(57)【要約】【課題】耐久性が高く、確実なスイッチ操作を達成する蓋体付き筐体を低コストで得る。【解決手段】開口部１１、１２を設けた筐体本体１３に蓋体部１４を回動自在に取り付けて構成した構造において、筐体本体１３の開口部側に閉蓋状態にロック可能な凹状ロック部４０とこれに隣接したロック突部４１を配置し、蓋体部１４にばね部６１と弧状突起６２からなる係止片６０を配置し、蓋体部１４が開口部を開閉する時の回動時に、弧状突起６２をばね部６１によりロック突部４１に押圧接触させて、ロック突部を移行する前後で回動方向に相反する力が付与され、蓋体部を開、閉の二状態に保持する。蓋体部の閉状態時に機器のスイッチを動作させる。【選択図】　図２
2004013396.tif 000002
【特許請求の範囲】
【請求項１】
開口部を有する筐体本体と、
前記筐体本体に回動自在に取り付けられ、前記開口部を開閉する蓋体部と、
前記筐体本体の開口部側に設けられ前記蓋体部を閉蓋状態にロック可能な凹状ロック部およびこの凹状ロック部に隣接したロック突部と、
前記蓋体部に設けられ、ばね部と弧状突起からなる係止片とを具備し、
前記弧状突起は前記蓋体部が前記開口部を開閉する時の回動時に前記ばね部により前記ロック突部に押圧接触し、前記ロック突部を移行する前後で回動方向に相反する力を付与されることを特徴とする電子機器装置。
【請求項２】
前面部に少なくとも１個のカード挿入部を有し内部にスイッチを含む回路基板を内蔵して前記スイッチが露出するスイッチ用開口を形成した筐体本体と、
前記筐体本体に回動自在に取り付けられ、前記カード挿入部を開閉蓋可能な蓋体部と、
前記筐体本体の前記カード挿入部側に設けられ前記蓋体部を閉蓋状態にロック可能な凹状ロック部およびこの凹状ロック部に隣接したロック突部と、
前記蓋体部に設けられ、ばね部と弧状突起からなる係止片と、
前記蓋体部の前記筐体本体の前記スイッチ用開口に臨む側にこのスイッチ用開口に対応して設けられたスイッチ押圧部材と、
を具備し、
前記弧状突起は前記蓋体部が前記カード挿入部を開閉蓋する時の回動時に前記ばね部により前記ロック突部に押圧接触し、前記ロック突部を移行する前後で回動方向に相反する力を付与され、前記スイッチ押圧部材は閉蓋時に前記スイッチ用開口に挿入され前記スイッチを押すことを特徴とする電子機器装置。
【請求項３】
前記ロック突部の曲率が前記弧状突起の曲率よりも大きいことを特徴とする請求項１または２に記載の電子機器装置。
【請求項４】
前記係止片が前記蓋体部の上面部の裏面に一体成形されていることを特徴とする請求項１乃至３のいずれかに記載の電子機器装置。
【請求項５】
前記係止片が前記蓋体部の前縁部に形成されていることを特徴とする請求項１乃至３のいずれかに記載の電子機器装置。
【請求項６】
前記凹状ロック部と前記弧状突起の曲率がほぼ同じであることを特徴とする請求項１乃至５のいずれかに記載の電子機器装置。
【発明の詳細な説明】
【０００１】
【発明の属する技術分野】
本発明は蓋体にスイッチ機能を有する筐体を備えた電子機器に関する。
【０００２】
【従来の技術】
従来、蓋の開閉にしたがって電子機器やその制御装置の入出力をオン、オフすることによって、機器の破損の防止や信頼性を高めることが要求されている。例えばパーソナルコンピュータのインターフェースの入出力端子、携帯端末やデジタルカメラのメモリーカードの挿入口などにカードを挿入する構造では、カードが挿入されて機器の接点との接触が完全になされた状態で動作させることが必要であり、不完全であると機器やカードが損傷したり、正常に動作しなくなることがある。
【０００３】
このため、カード挿入口に蓋体を設けて、カードの挿入状態を蓋体の開閉で確保し、閉蓋時に電源などのスイッチをオンして機器を動作させる構造が考えられている。例えば電子回路を内蔵する筐体のカード挿入口に蓋体を回動するように枢着し、その軸にカムを連結して近接して配置したスイッチを開閉させる。
【０００４】
【発明が解決しようとする課題】
しかしこの構造は、小型機器においては蓋軸も微小でカムも小さくなり、スイッチを駆動する軸やカムに負担がかかり耐久性に欠ける。また。蓋体の閉状態が中途半端でスイッチがオンしたり、反対にオフになる不安定性が生じる。これを避けるために蓋体の開方向と閉方向に或る回動（正逆方向に円運動する意味）位置を境にして逆のトルクを付与して確実なスイッチ操作を可能にする構造が望まれる。
【０００５】
本発明はこのような不都合を無くするもので、耐久性が高く、確実なスイッチ操作を達成する蓋体付き筐体を低コストで得ることができる電子機器装置を得るものである。
【０００６】
【課題を解決するための手段】
本発明の構成の代表的な態様は次のとおりである。
（１）開口部を有する筐体本体と、
前記筐体本体に回動自在に取り付けられ、前記開口部を開閉する蓋体部と、
前記筐体本体の開口部側に設けられ前記蓋体部を閉蓋状態にロック可能な凹状ロック部およびこの凹状ロック部に隣接した突部と、
前記蓋体部に設けられ、ばね部と弧状突起からなる係止片とを具備し、
前記弧状突起は前記蓋体部が前記開口部を開閉する時の回動時に前記ばね部により前記ロック突部に押圧接触し、前記ロック突部を移行する前後で回動方向に相反する力を付与されることを特徴とする電子機器装置。
【０００７】
（２）前面部に少なくとも１個のカード挿入部を有し内部にスイッチを含む回路基板を内蔵して前記スイッチが露出するスイッチ用開口を形成した筐体本体と、
前記筐体本体に回動自在に取り付けられ、前記カード挿入部を開閉蓋可能な蓋体部と、
前記筐体本体の前記カード挿入部側に設けられ前記蓋体部を閉蓋状態にロック可能な凹状ロック部およびこの凹状ロック部に隣接したロック突部と、
前記蓋体部に設けられ、ばね部と弧状突起からなる係止片と、
前記蓋体部の前記筐体本体の前記スイッチ用開口に臨む側にこのスイッチ用開口に対応して設けられたスイッチ押圧部材と、
を具備し、
前記弧状突起は前記蓋体部が前記カード挿入部を開閉蓋する時の回動時に前記ばね部により前記ロック突部に押圧接触し、前記ロック突部を移行する前後で回動方向に相反する力を付与され、前記スイッチ押圧部材は閉蓋時に前記スイッチ用開口に挿入され前記スイッチを押すことを特徴とする電子機器装置。
【０００８】
（３）前記ロック突部の曲率が前記弧状突起の曲率よりも大きいことを特徴とする電子機器装置。
【０００９】
（４）前記係止片が前記蓋体部の上面部の裏面に一体成形されていることを特徴とする電子機器装置。
【００１０】
（５）前記係止片が前記蓋体部の前縁部に形成されていることを特徴とする電子機器装置。
【００１１】
（６）前記凹状ロック部と前記弧状突起の曲率がほぼ同じであることを電子機器装置。
【００１２】
【発明の実施の形態】
（第１の実施形態）
図１乃至図５は本発明の第１の実施形態を示す。
【００１３】
本実施形態はパーソナルコンピュータ、プリンタ、情報端末やデジタルカメラ等の電子機器に接続されて、小型メモリーカードを読み書きする電子機器装置に適用したものである。小型メモリーカードには種々の規格のものがあり、例えばスマートメディア（商品名）とコンパクトフラッシュ（商品名）などのように外形、端子ともに異なっている。このため、複数種のカードに対応するインターフェースが必要になっており、本実施形態の装置１０は、各別のメモリーカード１１ａ、１２ａを挿入するカード挿入部（開口部）１１、１２を備え、ＵＳＢのようなコネクタを介してコンピュータなどの本体に接続される構成を有する。
【００１４】
本電子機器装置１０は本体を収容する筐体部１３と筐体部に対して開閉する蓋体部１４とを有しており、筐体部は樹脂モールドのフラットな上部筐体１５と下側筐体１６とを合わせて構成される。図４のように、本体は回路基板２０とこの基板に搭載される電源スイッチ２１、ＩＣを含む半導体回路およびカード接続用の端子（図示しない）であり、回路基板は、上部筐体１５および下部筐体１６間にほぼ平行に配置される。筐体部１３の後端側１７から先端にＵＳＢコネクタを取り付けたコード１８が延長され、コンピュータ本体やデジタルカメラ本体に接続可能とされる。
【００１５】
筐体部前面部２２に２種のカードに対応するメモリーカード挿入部１１、１２が筐体底面２３からの高さを変えてかつ、水平方向の位置をずらして配置される。カードの挿着を容易にするために、各挿入部の中央付近の前面部に凹み２４，２５を形成して、操作者の手指がカードを摘みやすいようにしている。これにより前面部２２には２箇所の凹み２４，２５を挟んで両側と中央に突部２６、２７、２８が形成されることになる。
【００１６】
蓋体部１４が上部筐体１５の前面部に配置されるが、このためこの蓋体部が閉蓋した状態で筐体１３本体からはみ出さないように、その前面部の突部２６、２７、２８、両側縁部３０および上面部３１を筐体外形よりも蓋体部１４のほぼ厚さ分、後退させて閉蓋状態で蓋体部１４が筐体部１３とほぼ面一になり円滑な外形を確保できるようにしている。上部筐体１５の後退側縁３０ａに、蓋体部側縁３２の下端縁３３が当接する当接縁３４を形成して、閉蓋時の蓋体部の位置を定める。筐体部前面部２２の向かって左側の突部２６下側に透孔３５が形成され、内側に電源投入時およびカード動作時に発光する発光素子（図示しない）が配置される。
【００１７】
筐体部前面部２２の向かって右側の突部２８に凹状ロック部４０とロック突部４１が形成される。この突部２８からやや奥側の上部筐体の上面部３１にスイッチ用開口４２が形成され、この開口内側に本体の電源スイッチ２１の押釦４３が配置される。
【００１８】
蓋体部１４は上面部５０とその筐体部の前面部２２側の前縁部５１とその両側縁に蓋側縁部３２が配置され、蓋側縁部３２は上面部５０の端縁５６よりも後方に延長され、蓋基端５３すなわち各蓋側縁部の後端内側に軸突起５５が突設される。上部筐体の後退側縁３０ａに貫通する受け孔４５（図４参照）が形成され、この受け孔に前記軸突起５５を挿入配置することにより、蓋体部１４は筐体部１３に回動自在に装着される。蓋体部１４の度当たりの範囲は開蓋時（図４（ａ））が蓋体部上面部５０の後縁５６が筐体部上面３１に接触するまでであり、閉蓋時（図４（ｂ））は蓋側縁３２の下端縁３３が上部蓋体の当接縁３４に接触する範囲である。蓋体部の前縁部下面に蓋開閉操作のための舌状片５７が形成される。
【００１９】
筐体前面部２２から向かって右側の蓋体部の上面部５０裏面に、蓋体部１４と樹脂モールドで一体成形された係止片６０およびこの係止片よりも蓋体上面部５０の後縁側に位置する角柱のスイッチ押圧部材５８が配置される。係止片６０は前面部側に弓状に反る板状ばね部６１とその先端に設けられた弧状突部６２とからなる。またスイッチ押圧部材５８は閉蓋状態で上部筐体上面５０のスイッチ用開口４２に挿入され電源スイッチ２１の押釦４３を押圧する。
【００２０】
図３乃至図５により、係止片６０とこれに対向する筐体前面部の凹状ロック部４０およびロック突部４１について説明する。
【００２１】
係止片６０の板状ばね部６１は一定の幅を有して、一端６１ａが蓋体上面部５０の裏面に直接固定され、他端６１ｂの先端に所定曲率半径Ｒ１の弧状突部６２を前面部に対して内側に突設している。図においてＲ１、Ｒ２、Ｒ３はそれぞれ曲率半径を示している。ロック突部４１は筐体前面部２２の突部２８に形成され、頂点４１ａを弧状突起の曲率半径よりも小さな曲率半径Ｒ２とした三角柱の一部を筐体の水平方向に沿って土手状に配置した構造をなし、断面山形で、頂部４１ａを境にして互いに反対方向に傾斜面４１ｂ、４１ｃを形成している。
【００２２】
凹状ロック部４０はロック突部４１の下側傾斜面４１ｃから延長して形成され、円弧状をなして、係止片６０の弧状突部６２の曲率半径Ｒ１とほぼ同一の曲率半径Ｒ３にしてある。
【００２３】
操作者が筐体を開蓋状態から閉蓋状態にするために、蓋体部１４を下方に押し下げると、係止片６０の弧状突部６２は板状ばね部６１によりロック突部の上側傾斜面４１ｂに当接しながら摺動する。図５に示すように、弧状突部６２が頂部４１ａに至る間、蓋体部１４は上方に押戻される力Ｐ１を受け、操作者が操作途中で手指を離すと蓋体部１４は上方に跳ね上がる。これは板状ばね部６１が弧状突部６２にほぼ水平方向の力ｆ１を付与するのに対して、弧状突部６２が受ける傾斜面４１ｂとの接触面の反作用力ｆｒ１は傾斜面に垂直な方向に働くからである。
【００２４】
さらに弧状突部６２が頂部４１ａを過ぎて下側傾斜面４１ｃに至ると蓋体部１４は力ｆ１および反作用力ｆｒ２により、下方に力Ｐ２を受け、操作者が手指を離しても弧状突部６２は凹状ロック部４０に至り閉蓋状態になる。開蓋操作時も同様に作用する。弧状突部６２およびロック突部４１の曲率半径のそれぞれを小さくして尖鋭化した方が死点がなくなるが、一方の曲率半径を小さくするだけでかなりの効果があり、両者の曲率半径を小さくした場合よりも磨耗を減らせることができる。
【００２５】
このように蓋体部１４の開閉において蓋体部は開蓋状態か閉蓋状態の２状態になる。閉蓋状態でスイッチ押圧部材５８が筐体１３のスイッチ用開口４２に挿入されて電源スイッチの押釦４３を押し、電源をオン状態にする。したがって蓋体部１４が完全に閉蓋状態にならなければ、電源が入ることが無い。これによりメモリーカードをメモリーカード挿入部１１または１２に挿入した後、確固な閉蓋状態にしてはじめて電源が入るので、動作中のカードを不用意に引抜いたり、蓋体部が半開きで電源が入切することがなく、メモリーカードの情報を損なう恐れがない。
【００２６】
さらに本実施形態によれば、蓋体部の係止片６０、筐体部の凹状ロック部４０、ロック突部４１ともに蓋体部や上部筐体を形成するときの樹脂の一体成形で形成することができ、部品点数も少なく製造コストを低減することができる。
【００２７】
（第２の実施形態）
本実施の形態は蓋体部の前縁部の一部を係止片に形成したことを特徴としている。以下図６および図７により説明する。なお第１の実施形態と同符号の部分は同様の部分を示す。
【００２８】
筐体部前面部２２ａに２種のカード１１ａ、１２ａに対応するメモリーカード挿入部（開口部）１１、１２が筐体底面２３からの高さを変えてかつ、水平方向の位置をずらして配置される。カードの挿着を容易にするために、各挿入部の中央付近の前面部２２ａに凹み２４，２５を形成して、操作者の手指がカードを摘みやすいようにしている。これにより前面部２２には２箇所の凹み２４，２５を挟んで両側と中央に突部２６、２７、２８ａが形成されることになる。
【００２９】
蓋体部１４が上部筐体１５の前面部に配置されるが、このためこの蓋体部が閉蓋した状態で筐体１３本体からはみ出さないように、その前面部の突部２６、２７、２８ａ、両側縁部３０および上面部３１を筐体外形よりも蓋体部１４ａのほぼ厚さ分、後退させて閉蓋状態で蓋体部１４ａが筐体部１３とほぼ面一になり円滑な外形を確保できるようにしている。上部筐体１５の後退側縁３０ａに、蓋体部側縁３２の下端縁３３が当接する当接縁３４を形成して、閉蓋時の蓋体部の位置を定める。筐体部前面部２２ａの向かって左側の突部２６下側に透孔３５が形成され、内側に電源投入時およびカード動作時に発光する発光素子（図示しない）が配置される。
【００３０】
筐体部前面部２２ａの向かって右側の突部２８ａに凹状ロック部４０とこれに隣接してロック突部４１が形成される。凹状ロック部４０、ロック突部４１の形成位置は、第１の実施形態に比べて筐体本体の前方に突出し、蓋体１４ａに接する位置にある。この突部２８ａからやや奥側の上部筐体の上面部３１にスイッチ用開口４２が形成され、この開口内側に本体の電源スイッチ２１の押釦４３が配置される。
【００３１】
蓋体部１４ａは上面部５０と前縁部５１を有し、その両側縁に蓋側縁部３２が配置され、蓋側縁部３２は上面部５０よりも後方に延長され、蓋基端５３すなわち各蓋側縁部の後端内側に軸突起５５が突設される。上部筐体の後退側縁３０ａに筐体上面３１から下方に延びる受け孔（図示しない）が形成され、この受け孔に前記軸突起５５を挿入配置することにより、蓋体部１４ａは筐体部１３に回動自在に装着される。蓋体部１４ａの度当たりの範囲は開蓋時が蓋体部上面部５０の後縁５６が筐体部上面３１に接触するまでであり、閉蓋時は蓋側縁３２の下端縁３３が上部蓋体の当接縁３４に接触する範囲である。
【００３２】
図７に示すように、蓋体部１４ａの前縁部５１に、筐体前面部２２ａから向かって右側に、前縁部５１の一部が切り込まれて板状ばね部７１とその先端に形成された弧状突起７２からなる係止片７０が配置される。前縁部５１は円筒体の一部をなすような曲面形状をなし、板状ばね部７１はこの前縁部５１に沿って形成され、基端７３を蓋体１４ａの上面部５０に固着されている。すなわち係止片７０は蓋体１４ａの表面の一部を兼ねており、蓋体製造の樹脂モールド時に一体に成形される。
【００３３】
板状ばね部７１は蓋体外側方向に反って湾曲し、弧状突起７２は無い方に突出している。この板状ばね部７１が筐体の突部２８ａに形成された凹状ロック部４０とロック突部４１と係合し、第１の実施形態で説明した機能により、安定した閉蓋状態を確保する。
【００３４】
蓋体１４ａの裏面で係止片後方に配置されたスイッチ押圧部材４３は角柱状に形成され、閉蓋状態で上部筐体上面３１のスイッチ用開口４２に挿入され電源スイッチ２１の押釦４３を押圧する。
【００３５】
本実施形態によれば、係止片７０が蓋体の前縁部中にあるために、係止片を不用意に引っ掛けて破損することが少ないという利点がある。また、蓋体の樹脂モールドの部品点数も少なく、製造コストを低減することができる。
【００３６】
以上本発明を実施形態について説明したが、発明の範囲内で種々の変形が可能であることはいうまでもない。例えば、カード挿入口はカード以外の挿入口に形成することができ、また、係止片を複数個、形成することができる。さらに、実施形態では係止片のばね部を蓋体の回動方向に沿って反らせたが、直線状に形成することが可能である。また、スイッチ押圧部材を角柱状以外に円柱など他の形状にすることができる。
【００３７】
【発明の効果】
本発明は、蓋体に設けた係止片と筐体に設けた凹状ロック部およびロック突部の機能により、蓋体を筐体に対して開か閉の二状態に設定し、中間状態を設けないようにたので、閉状態でスイッチを確実に作動させることができ、閉蓋によりカードを挿入を確実にし、しかもカードや電子機器の正常な動作を提供することができる。
【図面の簡単な説明】
【図１】本発明の第１の実施形態の閉蓋状態の斜視図。
【図２】本発明の第１の実施形態の開蓋状態の斜視図。
【図３】本発明の第１の実施形態の蓋体を裏面から見た斜視図。
【図４】本発明の実施形態を説明するもので、（ａ）は開蓋状態の一部断面図、（ｂ）は閉蓋状態の一部断面図。
【図５】本発明の第１の実施形態の動作を説明する略図。
【図６】本発明の第２の実施形態の開蓋状態の斜視図。
【図７】本発明の第２の実施形態の蓋体を示すもので、（ａ）は正面の斜視図、（ｂ）は裏面の斜視図。
【符号の説明】
１１、１２：カード挿入部（開口部）
１３：筐体部
１４：蓋体部
２１：電源スイッチ
２２：前面部
２４、２５：凹み
３０：側縁部
３０ａ：後退側縁
３２：蓋側縁部
３３：下端縁
３４：当接縁
４０：凹状ロック部
４１：ロック突部
４２：スイッチ用開口
４３：押釦
５０：筐体上面
５１：前縁部
５８：スイッチ押圧部材
６０：係止片
６１：板状ばね部材
６２：弧状突起
【図１】
2004013396.tif 000003
【図２】
2004013396.tif 000004
【図３】
2004013396.tif 000005
【図４】
2004013396.tif 000006
【図５】
2004013396.tif 000007
【図６】
2004013396.tif 000008
【図７】
2004013396.tif 000009